(57)【特許請求の範囲】
【請求項１】
無線通信ネットワーク（1）における無線デバイス（10）の通信を処理するための、当該無線デバイス（10）によって実行される方法であって、第１の無線ネットワークノードは、前記無線デバイス（10）にサービスを行い、前記無線通信ネットワーク（1）は、第２の無線ネットワークノード（13）を更に含み、前記方法は、
前記第２の無線ネットワークノード（13）によってサービスが行われるセルへのハンドオーバを示すハンドオーバコマンドを前記第１の無線ネットワークノード（12）から受信すること（901）であって、前記ハンドオーバコマンドは、前記セルのいずれのビームを前記無線デバイス（10）が選択するかを制御するビームインジケーションを含む、受信することと、
少なくとも前記ビームインジケーションに基づいて、前記セルのビームを選択すること（903）と、を含み、前記ビームインジケーションは、負荷に基づく、アクセスに適さないビームのリストと、前記無線デバイスによって選択されるべきビームのビーム品質又はビーム強度についての閾値とを含む、方法。
【請求項２】
請求項１に記載の方法であって、前記ビームインジケーションは、前記セルのいくつかのビームについての非競合ランダムアクセス（ＣＦＲＡ）と、オフセット値とを示し、当該オフセット値は、ＣＦＲＡを有しないビームが、前記セルへのアクセス用に選択されるために、ＣＦＲＡを有するビームより前記オフセット値だけ性能が上回る必要があるものであり、
少なくとも前記ビームインジケーションに基づいて前記セルのビームを選択すること（903）は、
前記ビーム品質又は前記ビーム強度に基づいて前記セルのビームを選択することと、
前記選択されたビームが、前記リストに含まれておらず、かつ、ＣＦＲＡを有するビームである場合、当該ビームを前記セルへのアクセスのために使用することと、
前記選択されたビームが、前記リストに含まれておらず、かつ、ＣＦＲＡを有しないビームである場合、当該ビームの性能が、ＣＦＲＡを有するビームより前記オフセット値だけ上回っていれば、当該ビームを前記セルへのアクセスのために使用することと、を含む、方法。
【請求項３】
請求項１又は２に記載の方法であって、前記ビームインジケーションは、非競合リソース及びビーム品質閾値のインジケーションを少なくとも含む、方法。
【請求項４】
請求項３に記載の方法であって、少なくとも前記ビームインジケーションに基づいて前記セルのビームを選択すること（903）は、
前記非競合リソースと関連付けられた、少なくとも前記ビームのビーム品質を測定することと、
前記測定されたビーム品質が前記ビーム品質閾値より良い場合に、前記非競合リソースと関連付けられた前記ビームを優先することと、を含む方法。
【請求項５】
無線通信ネットワークにおける無線デバイスの通信を処理するための、第１の無線ネットワークノードによって実行される方法であって、前記第１の無線ネットワークノードは、前記無線デバイスにサービスを行い、前記無線通信ネットワークは、第２の無線ネットワークノードを更に含み、前記方法は、
前記第２の無線ネットワークノードによってサービスが行われるセルへのハンドオーバを示すハンドオーバコマンドを前記無線デバイスへ送信すること（912）を含み、前記ハンドオーバコマンドは、前記セルのいずれのビームを前記無線デバイスが選択するかを制御するビームインジケーションを含み、前記ビームインジケーションは、負荷に基づく、アクセスに適さないビームのリストと、前記無線デバイスによって選択されるべきビームのビーム品質又はビーム強度についての閾値とを含む、方法。
【請求項６】
請求項５に記載の方法であって、前記ビームインジケーションは、前記セルのいくつかのビームについての非競合ランダムアクセス（ＣＦＲＡ）と、オフセット値とを示し、当該オフセット値は、前記ビーム品質又は前記ビーム強度に基づいて選択され、かつ、前記リストに含まれていないビームであってＣＦＲＡを有しないビームが、前記セルへのアクセス用に選択されるために、ＣＦＲＡを有するビームより前記オフセット値だけ性能が上回る必要があるものである、方法。
【請求項７】
請求項５又は６に記載の方法であって、前記ビームインジケーションは、非競合リソース及びビーム品質閾値のインジケーションを少なくとも含む、方法。
【請求項８】
無線通信ネットワーク（1）における無線デバイス（10）の通信を処理するための当該無線デバイス（10）であって、第１の無線ネットワークノードは、前記無線デバイス（10）にサービスを行うように構成され、前記無線通信ネットワーク（1）は、第２の無線ネットワークノード（13）を含むように構成され、前記無線デバイスは、
前記第２の無線ネットワークノード（13）によってサービスが行われるセルへのハンドオーバを示すハンドオーバコマンドを前記第１の無線ネットワークノード（12）から受信することであって、前記ハンドオーバコマンドは、前記セルのいずれのビームを前記無線デバイス（10）が選択するかを制御するビームインジケーションを含む、受信することと、
少なくとも前記ビームインジケーションに基づいて、前記セルのビームを選択することと、を行うように構成され、前記ビームインジケーションは、負荷に基づく、アクセスに適さないビームのリストと、前記無線デバイスによって選択されるべきビームのビーム品質又はビーム強度についての閾値とを含む、無線デバイス。
【請求項９】
請求項８に記載の無線デバイス（10）であって、前記ビームインジケーションは、前記セルのいくつかのビームについての非競合ランダムアクセス（ＣＦＲＡ）と、オフセット値とを示し、当該オフセット値は、ＣＦＲＡを有しないビームが、前記セルへのアクセス用に選択されるために、ＣＦＲＡを有するビームより前記オフセット値だけ性能が上回る必要があるものであり、
少なくとも前記ビームインジケーションに基づいて前記セルのビームを選択することは、
前記ビーム品質又は前記ビーム強度に基づいて前記セルのビームを選択することと、
前記選択されたビームが、前記リストに含まれておらず、かつ、ＣＦＲＡを有するビームである場合、当該ビームを前記セルへのアクセスのために使用することと、
前記選択されたビームが、前記リストに含まれておらず、かつ、ＣＦＲＡを有しないビームである場合、当該ビームの性能が、ＣＦＲＡを有するビームより前記オフセット値だけ上回っていれば、当該ビームを前記セルへのアクセスのために使用することと、を含む、無線デバイス。
【請求項１０】
請求項８又は９に記載の無線デバイス（10）であって、前記ビームインジケーションは、非競合リソース及びビーム品質閾値のインジケーションを少なくとも含む、無線デバイス。
【請求項１１】
請求項１０に記載の無線デバイス（10）であって、前記無線デバイスは、前記非競合リソースと関連付けられた、少なくとも前記ビームのビーム品質を測定し、かつ、前記測定されたビーム品質が前記ビーム品質閾値より良い場合に、前記非競合リソースと関連付けられた前記ビームを優先することによって、少なくとも前記ビームインジケーションに基づいて前記セルのビームを選択するように構成される、無線デバイス。
【請求項１２】
無線通信ネットワーク（1）における無線デバイス（10）の通信を処理するための第１の無線ネットワークノード（12）であって、前記第１の無線ネットワークノード（12）は、前記無線デバイス（10）にサービスを行うように構成され、前記無線通信ネットワーク（1）は、第２の無線ネットワークノード（13）を含むように構成され、前記第１の無線ネットワークノード（12）は、
前記第２の無線ネットワークノード（13）によってサービスが行われるセルへのハンドオーバを示すハンドオーバコマンドを無線デバイス（10）へ送信するように構成され、前記ハンドオーバコマンドは、前記セルのいずれのビームを前記無線デバイスが選択するかを制御するビームインジケーションを含み、前記ビームインジケーションは、負荷に基づく、アクセスに適さないビームのリストと、前記無線デバイスによって選択されるべきビームのビーム品質又はビーム強度についての閾値とを含む、第１の無線ネットワークノード。
【請求項１３】
請求項１２に記載の第１の無線ネットワークノード（12）であって、前記ビームインジケーションは、前記セルのいくつかのビームについての非競合ランダムアクセス（ＣＦＲＡ）と、オフセット値とを示し、当該オフセット値は、前記ビーム品質又は前記ビーム強度に基づいて選択され、かつ、前記リストに含まれていないビームであってＣＦＲＡを有しないビームが、前記セルへのアクセス用に選択されるために、ＣＦＲＡを有するビームより前記オフセット値だけ性能が上回る必要があるものである、第１の無線ネットワークノード。
【請求項１４】
請求項１２又は１３に記載の第１の無線ネットワークノード（12）であって、前記ビームインジケーションは、非競合リソース及びビーム品質閾値のインジケーションを少なくとも含む、第１の無線ネットワークノード。
【請求項１５】
命令を含むコンピュータプログラムであって、当該命令は、少なくとも１つのプロセッサで実行されると、当該少なくとも１つのプロセッサに、前記第１の無線ネットワークノード（12）又は前記無線デバイス（10）によって実行される請求項１から７のいずれか１項に記載の方法を実行させる、コンピュータプログラム。
【請求項１６】
命令を含むコンピュータプログラムが格納された、コンピュータで読み取り可能な記憶媒体であって、当該命令は、少なくとも１つのプロセッサで実行されると、当該少なくとも１つのプロセッサに、前記第１の無線ネットワークノード（12）又は前記無線デバイス（10）によって実行される請求項１から７のいずれか１項に記載の方法を実行させる、記憶媒体。
【発明の詳細な説明】
【技術分野】
【０００１】
本明細書の実施形態は、無線デバイス、無線ネットワークノード、及び無線通信に関してそれらで実行される方法に関する。更に、本明細書では、コンピュータプログラム製品及びコンピュータ可読記憶媒体も提供される。具体的には、本明細書の実施形態は、無線通信ネットワークにおける無線デバイスの通信を処理すること、例えば、ハンドオーバを処理する又は可能にすることに関する。
【背景技術】
【０００２】
典型的な無線通信ネットワークにおいて、無線デバイスは、無線通信デバイス、移動局、ステーション（ＳＴＡ）及び／又はユーザ装置（ＵＥ）としても知られており、無線アクセスネットワーク（ＲＡＮ）を介して１つ以上のコアネットワーク（ＣＮ）と通信する。ＲＡＮは、サービスエリア又はセルエリアに分割された地理的エリアをカバーし、各サービスエリア又はセルエリアは、いくつかのネットワークにおいては例えば「ＮｏｄｅＢ」又は「ｅＮｏｄｅＢ」とも称されうる、アクセスノード（例えば、Ｗｉ−Ｆｉアクセスポイント又は無線基地局（ＲＢＳ））のような無線ネットワークノードによってサービスされる。サービスエリア又はセルエリアは、アクセスノードによって無線カバレッジが提供される地理的エリアである。アクセスノードは、無線インタフェースを介してアクセスノードの範囲内の無線デバイスと通信するために無線周波数で動作する。アクセスノードは、下りリンク（ＤＬ）を介して無線デバイスと通信し、無線デバイスは、上りリンク（ＵＬ）を介してアクセスノードと通信する。
【０００３】
ユニバーサル移動体通信システム（ＵＭＴＳ）は、第２世代（２Ｇ）のモバイル通信用グローバルシステム（ＧＳＭ（登録商標））から進化した第３世代の通信ネットワークである。ＵＭＴＳ地上無線アクセスネットワーク（ＵＴＲＡＮ）は、基本的に、ユーザ装置との通信に広帯域符号分割多元接続（ＷＣＤＭＡ（登録商標））及び／又は高速パケットアクセス（ＨＳＰＡ）を使用するＲＡＮである。第３世代パートナシップ（３ＧＰＰ）として知られるフォーラムでは、通信サプライヤが現在及び将来の世代のネットワーク及びＵＴＲＡＮの標準規格を具体的に提案及び合意し、データレート及び無線容量の向上について調査している。いくつかのＲＡＮでは、例えばＵＭＴＳのように、いくつかのアクセスノードが、例えば地上回線又はマイクロ波によって、無線ネットワークコントローラ（ＲＮＣ）又は基地局コントローラ（ＢＳＣ）等のコントローラノードに接続でき、コントローラノードは、それに接続された複数のアクセスノードの様々なアクティビティを管理及び調整する。ＲＮＣは、典型的には１つ以上のコアネットワークに接続される。
【０００４】
Evolved Packet System（ＥＰＳ）の仕様が第３世代パートナシッププロジェクト（３ＧＰＰ）内で完成されており、この作業は４Ｇネットワーク及び５Ｇネットワーク等の今後の３ＧＰＰリリースでも継続される。ＥＰＳは、ロングタームエボリューション（ＬＴＥ）無線アクセスネットワークとも称される、Evolved Universal Terrestrial Radio Access Network（Ｅ−ＵＴＲＡＮ）と、システムアーキテクチャエボリューション（ＳＡＥ）コアネットワークとも称されるEvolved Packet Core（ＥＰＣ）とを含む。Ｅ−ＵＴＲＡＮ／ＬＴＥは、アクセスノードがＥＰＣコアネットワークに直接接続される３ＧＰＰＰ無線アクセス技術である。そのため、ＥＰＳの無線アクセスネットワーク（ＲＡＮ）は、１つ以上のコアネットワークに直接接続された複数のアクセスノードを含む、基本的に「フラットな」アーキテクチャを有している。
【０００５】
出現しつつある５Ｇ技術では、送信側及び受信側ビームフォーミング等のビームフォーミングを利用することを可能にすることから、非常に多くの送信アンテナ素子及び受信アンテナ素子の使用が非常に興味深い。送信側ビームフォーミングは、送信機が他の方向の送信信号を抑制する一方で、選択された１つ以上の方向の送信信号を増幅可能であることを意味する。同様に、受信側では、受信機が、他の方向からの不要な信号を抑制する一方で、選択された１つ以上の方向からの信号を増幅可能である。
【０００６】
ビームフォーミングは、信号が個々の接続に対してより強くなることを可能にする。送信側では、これは所望の方向における送信電力の集中によって達成されうる。そして、受信側では、これは所望の方向における受信機感度の増加によって達成されうる。このビームフォーミングは、コネクションのスループット及びカバレッジを向上させる。それはまた、不要な信号からの干渉を低減することを可能にし、それによって、時間‐周波数グリッド内の同じリソースを使用、いわゆるマルチユーザ多入力多出力（ＭＩＭＯ）を使用して、複数の個々のコネクション上でのいくつかの同時送信を可能にする。
【０００７】
チャネル状態情報参照信号（ＣＳＩ−ＲＳ）と称される、スケジューリングされる参照信号は、特定のコネクションに必要なときに送信される。ＣＳＩは、チャネル品質インジケータ（ＣＱＩ：Channel Quality Indicator）、ププリコーディング行列インジケータ（ＰＭＩ：Precoding Matrix Indicator）、及びランクインジケータ（ＲＩ：Rank Indicator）を含む。ＣＱＩは、無線デバイスによって無線ネットワークノードに報告される。無線デバイスは、変調方式及び符号化方式を無線ネットワークノードに知らせる。下りリンクのチャネル状態を予測するために、無線デバイスによるＣＱＩフィードバックが入力として使用されうる。ＣＱＩ報告は、ＰＭＩ及びＲＩに基づきうる。ＰＭＩは、無線デバイスによって無線ネットワークノードに知らされ、このプリコーディング行列は、ＲＩによって決定される下りリンク送信のために使用されうる。無線デバイスは、無線ネットワークノードへＲＩ（即ち、無線デバイスへの下りリンク送信に使用されるべきレイヤの数）を更に知らせる。ＣＳＩ−ＲＳをいつどのように送信するかの決定は、無線ネットワークノードによって行われ、その決定は、いわゆる測定グラントを使用して、関係する無線デバイスにシグナリングされる。無線デバイスは、測定グラントを受信すると、対応するＣＳＩ−ＲＳで測定する。無線ネットワークノードは、無線デバイスがそれらのビームに関するより詳細な情報を報告することを可能にするために、その無線デバイスのために強いことが知られている（１つ又は複数の）ビームのみを使用してＣＳＩ−ＲＳを無線デバイスに送信することを選択しうる。あるいは、無線ネットワークノードは、例えば無線デバイスが移動中である場合に新しいビームの迅速な検出を可能にするために、その無線デバイスに対して強力であることが知られていない（１つ又は複数の）ビームも使用してＣＳＩ−ＲＳを送信することを選択しうる。
【０００８】
New Radio（ＮＲ）ネットワークの無線ネットワークノードは、他の参照信号も同様に送信する。例えば、無線ネットワークノードは、制御情報又はデータを無線デバイスに送信するときに、いわゆる復調参照信号（ＤＭＲＳ）を送信しうる。そのような送信は、典型的には、その無線デバイスに対して強いことが知られている（１つ又は複数の）ビームを使用して行われる。
【０００９】
ＬＴＥでは、ＣＳＩ−ＲＳの主な目標は、無線ネットワークノードがそのプリコーディング動作を行うのを支援するために、最大８つの送信アンテナポートについてチャネル状態フィードバックを取得することである。リリース１０では、１、２、４及び８つの送信アンテナポートについてのＣＳＩ−ＲＳの送信をサポートする。ＣＳＩ−ＲＳはまた、無線デバイスが将来のマルチセル協調送信方式をサポートするために、そのサービングセルだけでなく、複数のセルのためのＣＳＩを推定することを可能にする。ＬＴＥでのＣＳＩ−ＲＳ測定の目的は、セル間のモビリティをサポートすることではないことに留意されたい。
【００１０】
図１に、所与のサブフレームについてのＣＳＩ−ＲＳのリソース割り当てを示す。２つのアンテナポート上のＣＳＩ−ＲＳが所与のサブキャリア上で２つのリソースエレメント（ＲＥ）を共有するように、長さ２の符号分割多重（ＣＤＭ）符号が使用されている。２つのＣＳＩ−ＲＳアンテナポートの場合に使用されるリソースエレメントは、４つ及び８つのアンテナポートに使用されるリソースエレメントのサブセットであり、これは、実装を単純化するのに役立つ。サポートされるアンテナポートの総数は４０であり、これを使用して、セル当たり８つのアンテナポートを有するセル間で５の周波数再利用係数、又は２つのアンテナポートの場合には２０の係数を与えることができる。
【００１１】
ＣＳＩ−ＲＳ設定は、無線デバイス固有であり、即ち、個別の無線リソース制御（ＲＲＣ）シグナリングを介して提供される。設定されると、所与のデューティサイクル及びサブフレームオフセットに続くいくつかのサブフレームのみにＣＳＩ−ＲＳが存在する。これらのサブフレームで使用される、ＣＳＩ−ＲＳを含むサブフレーム及びＣＳＩ−ＲＳパターンのデューティサイクル及びオフセットは、ＲＲＣシグナリングを介して、リリース１０の無線デバイスに提供される（例：図２参照）。デューティサイクル及びサブフレームオフセットは一緒に符号化されるが、ＣＳＩ−ＲＳパターンはこの２つのパラメータとは独立に設定される。
【００１２】
要約すると、ＣＳＩ−ＲＳ設定は、以下のものを含む（少なくともリリース１０まで）：
‐ＣＳＩ−ＲＳの数：１、２、４又は８；
‐ＣＳＩ−ＲＳ周期：５ｍｓ、１０ｍｓ、２０ｍｓ、４０ｍｓ又は８０ｍｓ；
‐ＣＳＩ−ＲＳ期間内でのＣＳＩ−ＲＳサブフレームオフセット；
‐リソースブロックペア内の正確なＣＳＲ‐ＲＳ設定−これは、リソースブロックペア内の最大８つのＣＳＩ−ＲＳに対して、４０個の可能性のあるＲＥから正確にどのようなリソースエレメントが使用されるかということである。
【００１３】
協調的ＭＩＭＯのコンテキストでは、複数のサービスエリアにわたるＣＳＩ−ＲＳ送信を調整することにより、チャネル推定、特に干渉推定の性能を改善することが可能でありうる。したがって、リリース１０では、サービスエリアからのデータ送信においてＲＥのセットを「ミュート」することが可能である。「ミューティングパターン」として知られるこれらのＲＥの位置は、他のサービスエリアからのＣＳＩ−ＲＳ送信との衝突を避け、それ故に、セル間測定の品質を改善するために、選択されうる。マルチセルの場合には、ＣＳＩ−ＲＳ設定０が、ＣＳＩ−ＲＳ設定２と異なるＣＳＩ−ＲＳ設定１と異なる図３に示すように、ＣＳＩ−ＲＳリソース割り当てが、送受信ポイント（ＴＲＰ）／サービスエリア間の干渉を回避しようとするような、ある程度の調整が可能であることに留意されたい。別の重要な態様は、無線デバイス受信機がＣＳＩ−ＲＳをどのように処理するかに関連する。ＬＴＥでは、時間及び周波数（Ｔ／Ｆ）同期は、一次同期信号（ＰＳＳ）／二次同期信号（ＳＳＳ）／セル固有参照信号（ＣＲＳ）から得られ、高速フーリエ変換（ＦＦＴ）は、関連するＣＳＩ−ＲＳシンボルに適用され、埋め込まれた自セルＩＤ又はＲＲＣ設定仮想セルＩＤを除去する（５０４個の可能性）。
【００１４】
ＬＴＥプライマリにおけるリリース１３のＦＤ−ＭＩＭＯの仕様上の作業には、ＬＴＥでのビームフォーミングのサポートが含まれる。無線デバイスは、異なるサブフレームに応じて異なりうる下りリンク（ＤＬ）ビームにネットワーク側で関連付けることが可能な、ＣＳＩ−ＲＳプロセスのセットが設定されうる。ビームフォーミングされたＣＳＩ−ＲＳでは、無線デバイスは、異なる方向に向けてビームフォーミングされたＣＳＩ−ＲＳリソース上のＣＳＩを測定しなければならない（図４参照）。
【００１５】
ＬＴＥのリリース１３のＦＤ−ＭＩＭＯ仕様では、ビームフォーミングされたＣＳＩ−ＲＳ用の、クラスＢという拡張ＣＳＩ−ＲＳ報告がサポートされている。その中で、ＬＴＥのＲＲＣ_ＣＯＮＮＥＣＴＥＤ無線デバイスは、Ｋ個のビーム（ここで、８＞Ｋ＞１）が設定されうる。ここで、それは、ビームごとに１、２、４又は８のポート番号でありうる。ＰＭＩ、ＲＩ及びＣＱＩのようなフィードバック目的のために、ＣＳＩ−ＲＳごとにＣＳＩ−ＲＳリソースインジケータ（ＣＲＩ：CSI-RS Resource Indicator）が存在する。無線デバイスは、ＣＲＩが広帯域であり、ＲＩ／ＣＱＩ／ＰＭＩがレガシーコードブック（即ち、リリース１２）に基づいており、かつ、がＲＩの整数倍である、好ましいビームを知らせるようにＣＲＩを報告する。リリース１４の拡張フルディメンション（ｅＦＤ：enhancements in Full Dimension）‐ＭＩＭＯについては、潜在的拡張として、ＣＳＩ−ＲＳアンテナポート番号の最大３２への拡張（即ち｛２０，２４，３８，３２｝ＣＳＩ−ＲＳポート）及び非周期的ＣＳＩ−ＲＳの導入等の、以下のものが検討されている（図５参照）。
【００１６】
ＴＳ３６．３３１によれば、（CSI-RS-Config IEで符号化される）ＣＳＩ−ＲＳ設定は、モビリティ制御情報（即ち、ハンドオーバコマンド）の有無によらず、ＲＲＣＣｏｎｎｅｃｔｉｏｎＳｅｔｕｐ、RRCConnectionResume、又はRRC Connection Reconfigurationのいずれかで送信されうる（図６参照）。
【００１７】
ＲＡＮ１では、ＣＳＩ−ＲＳがビーム管理のためのプライマリＲＳになることが合意されている。ＬＴＥにおけるビームフォーミングされたＣＳＩ−ＲＳと比較して、おそらく、主要な追加のユースケースは、アナログビーム掃引であり、精密なＴ／Ｆトラッキングのためにも使用される可能性がある。したがって、Ｎｅｗ Ｒａｄｉｏ（ＮＲ）におけるＮＲ ＣＳＩ−ＲＳのための追加の柔軟性も、以下のように想定される：
‐１、２又は４シンボル内で送信される可能性がある；
‐設定変更可能な帯域幅（即ち、ＬＴＥのように必ずしもフルシステムではない）；
‐直交周波数分割多重（ＯＦＤＭ）シンボルはＣＳＩ−ＲＳのみを搬送可能である；
‐非周期的、半永続的及び周期的な送信；
【００１８】
注記：ＮＲで言及されている、ＬＴＥ及びこれまでのＣＳＩ−ＲＳの使用の大部分は、ビーム管理をサポートするための測定に関連している。加えて、ＲＡＮ１及びＲＡＮ２は、詳細は定義されていないが、セル間モビリティをサポートするためにＣＳＩ−ＲＳを無線リソース管理（ＲＲＭ）測定に使用可能であることにも合意している。
【００１９】
以下では、ＬＴＥにおけるモビリティ、特に、ｅＮｏｄｅＢ（ｅＮＢ）間のハンドオーバ準備について説明する。
【００２０】
ＬＴＥにおいて、ＲＲＣ_ＣＯＮＮＥＣＴＥＤ状態での無線デバイスのハンドオーバは、Ｅ−ＵＴＲＡＮにおけるＨＯ準備シグナリングを用いる無線デバイス支援ネットワーク制御（wireless device-assisted network-controlled）ハンドオーバ（ＨＯ）である：
‐ＨＯコマンドの一部は、ターゲットｅＮＢから生じ、ソースｅＮＢによって無線デバイスへトランスペアレントに転送される；
‐ＨＯを準備するために、ソースｅＮＢは、全ての必要な情報（例えば、E-Radio Access Bearer（ＲＡＢ）属性及びＲＲＣコンテキスト）をターゲットｅＮＢに渡す；
‐ソースｅＮＢ及び無線デバイスの両方は、ＨＯ障害の場合に無線デバイスのリターンを有効にするために、何らかのコンテキスト、例えば、セル無線ネットワーク一時識別子（Ｃ−ＲＮＴＩ：Cell-Radio Network Temporary Identifier）を保持する。
‐無線デバイスは、個別ＲＡＣＨプリアンブルを使用する非競合手順に続いて、又は個別ＲＡＣＨプリアンブルが使用可能でない場合には競合ベースの手順に続いて、ランダムアクセスチャネル（ＲＡＣＨ）を介してターゲットセルにアクセスし、無線デバイスは、ハンドオーバ手順が終了する（成功又は失敗する）まで、個別のプリアンブルを使用する；
‐ある時間内にターゲットセルへのＲＡＣＨ手順が成功しなかった場合、無線デバイスは、適切なセルを使用して無線リンク障害の回復を開始する；
‐ハンドオーバ時にはロバストヘッダ圧縮（ＲＯＨＣ：Robust Header Compression）コンテキストは転送されない；
‐ＲＯＨＣコンテキストは、同じｅＮＢ内のハンドオーバにおいて維持されうる。
【００２１】
ＨＯ手順の準備及び実行フェーズは、ＣＮの関与なしに実行され（ＬＴＥの場合はＥＰＣ）、即ち、準備メッセージはｅＮＢ間で直接交換される。ＨＯ完了フェーズ中のソース側でのリソースの解放は、ｅＮＢによってトリガされる。図７は、モビリティ管理エンティティ（ＭＭＥ）もサービングゲートウェイも変わらない基本的なハンドオーバシナリオを示す：
【００２２】
ＬＴＥにおけるハンドオーバ準備、即ち、図７のアクション３、４、５及び６について更に説明する。ハンドオーバの準備は、おそらくは、無線デバイスをハンドオーバするための測定報告（MEASUREMENT REPORT）及びＲＲＭ情報に基づいて、ハンドオーバの決定を行うサービングｅＮｏｄｅＢによって開始される（アクション３を参照）。次に、以下のステップが行われる：
【００２３】
‐アクション４：ソースｅＮＢは、ターゲット側でＨＯを準備するために必要な情報を渡すHANDOVER REQUESTメッセージをターゲットｅＮＢに発行する（ソースｅＮＢにおける無線デバイスＸ２シグナリングコンテキストリファレンス、無線デバイスＳ１ ＥＰＣシグナリングコンテキストリファレンス、ターゲットセルＩＤ、ソースｅＮＢにおける無線デバイスのＣ−ＲＮＴＩを含むＫｅＮＢ*、ＲＲＣコンテキスト、ＡＳ設定、拡張無線アクセスベアラ（Ｅ−ＲＡＢ）コンテキスト、及びソースセルの物理レイヤＩＤ＋可能性のある無線リンク障害（ＲＬＦ）の回復用のショート媒体アクセス制御（ＭＡＣ）−Ｉ）。無線デバイスＸ２／無線デバイスＳ１シグナリングリファレンスは、ターゲットｅＮＢがソースｅＮＢ及びＥＰＣをアドレス指定することを可能にする。Ｅ−ＲＡＢコンテキストは、必要な無線ネットワークレイヤ（ＲＮＬ）及びトランスポートネットワークレイヤ（ＴＮＬ）アドレス指定情報と、Ｅ−ＲＡＢのサービス品質（ＱｏＳ）プロファイルとを含む。
【００２４】
‐アクション５：ターゲットｅＮＢからリソースを与えることができた場合、ＨＯの成功の可能性を高めるために、受信したＥ−ＲＡＢ ＱｏＳ情報に依存してターゲットｅＮＢによってアドミッション制御が実行されうる。ターゲットｅＮＢは、受信したＥ−ＲＡＢ ＱｏＳ情報に従って、必要なリソースを設定し、Ｃ‐ＲＮＴＩと、オプションとしてＲＡＣＨプリアンブルとを予約する。ターゲットセルで使用されるＡＳ設定は、独立して（即ち、「確立（establishment）」）、又はソースセルで使用されるＡＳ構成と比較してデルタとして（即ち、「再設定（reconfiguration）」）定められうる。
【００２５】
‐アクション６：ターゲットｅＮＢは、レイヤ１（Ｌ１）／レイヤ２（Ｌ２）でＨＯを準備し、HANDOVER REQUEST ACKNOWLEDGEをソースｅＮＢへ送信する。HANDOVER REQUEST ACKNOWLEDGEメッセージには、ハンドオーバを実行するためのＲＲＣメッセージとして無線デバイスへ送信される透過的なコンテナが含まれる。このコンテナは、新しいＣ−ＲＮＴＩを含み、選択されたセキュリティアルゴリズムのためのターゲットｅＮＢセキュリティアルゴリズム識別子は、個別ＲＡＣＨプリアンブルと、場合によっては他のいくつかのパラメータ（即ち、アクセスパラメータ、システム情報ブロック（ＳＩＢ）等）とを含みうる。HANDOVER REQUEST ACKNOWLEDGEメッセージには、必要に応じて、転送トンネルのＲＮＬ／ＴＮＬ情報も含まれうる。
【００２６】
注記：ソースｅＮＢがHANDOVER REQUEST ACKNOWLEDGEを受信するとすぐに、又はハンドオーバコマンドの送信が下りリンクで開始されるとすぐに、データ転送が開始されうる。
【００２７】
ＮＲにおけるハンドオーバ準備は、標準化では主にＲＡＮ３の課題であり、ＮＲ内モビリティに関する作業は始まっていない。一方で、ＲＡＮ２ ＴＲでは、ＬＴＥと同様のノード間シグナリングがベースラインとして合意されている。したがって、いったんターゲット内でアドミッション制御が生じると、ｇＮｏｄｅＢ間でやりとりされる同様のＸｎシグナリング、即ち、サービングからターゲットへのハンドオーバ要求と、それに続くハンドオーバ要求Ａｃｋとが予想される。
【００２８】
これにより、ＬＴＥでは、サービングセルから隣接セルへのハンドオーバが生じる。ネットワークを支援するために、無線デバイスは、それ自体のセルについてＲＲＭ測定を実行し、隣接セルの品質と比較するよう構成される。言い換えれば、無線デバイスは、隣接セルの品質を測定し、それらを無線ネットワークノードに報告する必要があり、その結果、決定が行われうる。
【００２９】
ネットワークは、サービングセルから、報告されている隣接セル候補のうちのおそらく１つへ無線デバイスをハンドオーバすることを決定しうる。その後、ハンドオーバコマンドが続き（ＬＴＥでは、これはIE mobilityControlInformationを有するRRCConnectionReconfiguration）、これは、他のパラメータのうちで、無線デバイスがプリアンブル（個別であり、かつ、同じメッセージで割り当てられる可能性がある）を送信すべき物理ランダムアクセスチャネル（ＰＲＡＣＨ）の時間及び周波数リソース等の、無線デバイスがアクセス・ターゲットセルへのアクセスに使用すべきＲＡＣＨ設定を含む。
【００３０】
ハンドオーバは、無線シグナリングの点、及び場合によっては（ｇＮｏｄｅＢ間）ネットワークシグナリングの点でコストのかかる手順であるため、頻繁すぎるハンドオーバ及びピンポンハンドオーバは回避される又は少なくとも最小限にされるべきである（特に、それらはまた、障害の機会を増加させる可能性があるため）。更に、バッテリ節約の理由及び負荷のために、頻繁すぎる測定報告は回避される又は最小限にされるべきである。このため、フィルタリングされた測定値に基づくイベントトリガ報告が、ＬＴＥにおいてセルごとに定められている。次いで、ＲＡＮ４は，ある精度について２００ｍｓの評価期間に関する要件を定め、無線デバイスの実装は、典型的には、時間及び周波数にわたるあるコヒーレンス及びオンコヒーレント平均を実行するために、４０ｍｓのスナップショットを選定する。
【００３１】
ＮＲでは、より高い周波数での展開があり、ビームフォーミングは、ＲＲＭに使用される参照信号等の基本制御信号及びチャネルにも広く使用される。更に、３ＧＰＰにおける現在の設計原理は、ＲＲＭ及び同期のためにＲＳを送信するＤＬビームごとのＲＡＣＨリソースが分割される方向、いわゆる同期信号（ＳＳ）ブロックバーストセット（Ｂｌｏｃｋ Ｂｕｒｓｔ Ｓｅｔ）を指し示す。このため、あらゆるＳＳブロックは、それ自体のＲＡＣＨ構成、即ち、時間／周波数（Ｔ／Ｆ）リソース及びプリアンブル・サブセットさえも含みうる。ＳＳブロックは、その構造内に、しばしば三次同期シーケンス（ＴＳＳ：tertiary synchronization sequence）と称される、ビームを示すために使用されうるある種のＲＳを含むが、ＰＳＳ／ＳＳＳ及び物理ブロードキャストチャネル（ＰＢＣＨ）と共に、ＳＳブロック内のコードワードとして送信されうる（図８参照）。
【００３２】
指向性の相反性がなくても、実装は、ＲＡＣＨ設定（プリアンブルを含む）とターゲットセルＤＬビームとの間のマッピングのおかげで、無線デバイスをカバーする最も強いＤＬビームでターゲットセルがランダムアクセス応答（ＲＡＲ）を送信することを可能にする。これにより、無線デバイスは、ハンドオーバ実行の直後にターゲット内のナロービームに迅速にアクセスすることができる。
【００３３】
ＬＴＥでは、ＲＡＣＨリソースがセルごとに定められており、即ち、無線デバイスがハンドオーバ（ＨＯ）コマンドを受信した際、当該無線デバイスは、少なくとも当該無線デバイスが同期されていると仮定して、即座にＲＡＣＨを開始しうる（ただし、個別リソースが設定されうる）が、一方でＮＲでは、ＲＡＣＨリソースが、アナログビームフォーミング（又はビームのグループ）を使用する効率的なＲＡＣＨ検出を可能にするために、ＤＬビーム（又はＤＬビームのグループ）とに定められている。このため、無線デバイスは、ランダムアクセスを開始する前にＤＬビームを選択しうる。
【００３４】
その場合、議論されている現在のソリューションは、２つの可能性のある方向を指し示している：
‐無線デバイスが、ターゲットセル内の全ての可能性のあるＴＳＳへのＰＲＡＣＨマッピングを有するＨＯコマンドを受信する；
‐無線デバイスが、ターゲットセル内のＴＳＳのサブセットにマッピングされたＰＲＡＣＨ設定のサブセットを有するＨＯコマンドを受信する；
【００３５】
最近のＲＡＮ２＃９７ｂｉｓ会議では、ＮＲにおけるＨＯに関して以下の合意がなされている。
【００３６】
合意
１：  ハンドオーバコマンドは、少なくとも、ターゲットセルのセル・アイデンティティと、ターゲットセルのビームと関連付けられた（１つ又は複数の）ＲＡＣＨ設定とを含みうる。（１つ又は複数の）ＲＡＣＨ設定は、非競合ランダムアクセスのための設定を含みうる。
１ｂ：  無線デバイスは、ターゲットセルの全てのビームから適切なビームを選択する。
１ｃ：  無線デバイスは、無線デバイスの選択されたビームのために非競合ランダムアクセス（ＣＦＲＡ：Contention Free Random Access）リソースが提供されない場合、無線デバイスの選択されたビーム上でＣＢＲＡを実行する。
【００３７】
この合意によれば、ネットワーク（ＮＷ）は、ＬＴＥと同様に、無線デバイスがどのセルにハンドオーバすべきかを無線デバイスに伝えるだけである。一方、ターゲットセル内のどのビームにアクセスすべきかは、無線デバイス自体によって決定される。
【００３８】
ＮＲにおける合意は、無線デバイスが測定報告でＮＷに報告した最良のビームとは異なる可能性があるターゲットセルにアクセスする必要がある場合に、最良の無線リンク品質を有するビームを選択できるという利点を有する。
【００３９】
しかしながら、無線デバイスに制御を残すことにはいくつかの問題がある。
【００４０】
第１に、ターゲットセルにおいて良好な無線リンク品質を有するいくつかのビームは、ＮＷの観点からロードされうるが、無線デバイスはこれを知らない。したがって、無線デバイスは、ターゲットセルにアクセスするためにそれらのビームを選択しうる。その場合、無線デバイスは、良好な性能を得られない。
【００４１】
第２に、時にはターゲットセルにおけるランダムアクセスの成功を保証するために、ＮＷは、ランダムアクセス、即ち、非競合ランダムアクセス（ＣＦＲＡ）手順の間に使用するために、無線デバイスに対して指定されたプリアンブルを割り当てることになる。現在の合意によれば、無線デバイスは、このビームを選択することができず、その場合、そのようなプリアンブルの予約は無駄であり、ターゲットセルにおけるランダムアクセスの成功は、無線通信ネットワークの限定又は低減された性能につながる影響を受ける可能性がある。
【発明の概要】
【００４２】
本明細書の実施形態は、無線通信ネットワークにおいてビームフォーミングを使用する場合に無線通信ネットワークの性能を改善するメカニズムを提供することを目的としている。
【００４３】
一態様によれば、上記目的は、無線通信ネットワークにおける無線デバイスの通信を処理するための、無線デバイスによって実行される方法を提供することによって達成される。第１の無線ネットワークノードは、無線デバイスにサービスを行い、無線通信ネットワークは、第２の無線ネットワークノードを更に含む。無線デバイスは、第２の無線ネットワークノードによってサービスが行われるセルへのハンドオーバを示すハンドオーバコマンドを第１の無線ネットワークノードから受信する。当該ハンドオーバコマンドは、当該セルのいずれのビームを無線デバイスが選択するかを制御するビームインジケーションを含む。無線デバイスは更に、少なくともビームインジケーションに基づいて、セルのビームを選択する。
【００４４】
他の態様によれば、上記目的は、無線通信ネットワークにおける無線デバイスの通信を処理するための、第１の無線ネットワークノードによって実行される方法を提供することによって達成される。第１の無線ネットワークノードは、無線デバイスにサービスを行い、無線通信ネットワークは、第２の無線ネットワークノードを更に含む。第１の無線ネットワークノードは、第２の無線ネットワークノードによってサービスが行われるセルへのハンドオーバを示すハンドオーバコマンドを無線デバイスへ送信し、当該ハンドオーバコマンドは、当該セルのいずれのビームを無線デバイスが選択するかを制御するビームインジケーションを含む。
【００４５】
本明細書では、命令を含むコンピュータプログラムであって、当該命令は、少なくとも１つのプロセッサで実行されると、当該少なくとも１つのプロセッサに、第１の無線ネットワークノード又は無線デバイスによって実行される本明細書の方法を実行させる、コンピュータプログラムも提供される。更に本明細書では、命令を含むコンピュータプログラムが格納された、コンピュータで読み取り可能な記憶媒体であって、当該命令は、少なくとも１つのプロセッサで実行されると、当該少なくとも１つのプロセッサに、第１の無線ネットワークノード又は無線デバイスによって実行される本明細書の方法を実行させる、記憶媒体が提供される。
【００４６】
更に他の態様によれば、上記目的は、無線通信ネットワークにおける無線デバイスの通信を処理するための当該無線デバイスを提供することによって達成され、第１の無線ネットワークノードは、無線デバイスにサービスを行い、無線通信ネットワークは、第２の無線ネットワークノードを更に含む。無線デバイスは、第２の無線ネットワークノードによってサービスが行われるセルへのハンドオーバを示すハンドオーバコマンドを第１の無線ネットワークノードから受信するように構成され、当該ハンドオーバコマンドは、当該セルのいずれのビームを無線デバイスが選択するかを制御するビームインジケーションを含む。無線デバイスは更に、少なくともビームインジケーションに基づいて、セルのビームを選択するように構成される。
【００４７】
更に他の態様によれば、上記目的は、無線通信ネットワークにおける無線デバイスの通信を処理するための第１の無線ネットワークノードを提供することによって達成される。第１の無線ネットワークノードは、無線デバイスにサービスを行うように構成され、無線通信ネットワークは、第２の無線ネットワークノードを更に含むように構成される。第１の無線ネットワークノードは、第２の無線ネットワークノードによってサービスが行われるセルへのハンドオーバを示すハンドオーバコマンドを無線デバイスへ送信するように構成される。当該ハンドオーバコマンドは、当該セルのいずれのビームを無線デバイスが選択するかを制御するビームインジケーションを含む。
【００４８】
更に他の態様によれば、上記目的は、処理回路を備える無線デバイスを提供することによって達成され、当該処理回路は、第２の無線ネットワークノードによってサービスが行われるセルへのハンドオーバを示すハンドオーバコマンドを第１の無線ネットワークノードから受信するように構成され、当該ハンドオーバコマンドは、当該セルのいずれのビームを無線デバイスが選択するかを制御するビームインジケーションを含む。処理回路は更に、少なくともビームインジケーションに基づいて、セルのビームを選択するように構成される。
【００４９】
更に他の態様によれば、上記目的は、処理回路を備える第１の無線ネットワークノードを提供することによって達成され、当該処理回路は、第２の無線ネットワークノードによってサービスが行われるセルへのハンドオーバを示すハンドオーバコマンドを無線デバイスへ送信するように構成される。当該ハンドオーバコマンドは、当該セルのいずれのビームを無線デバイスが選択するかを制御するビームインジケーションを含む。
【００５０】
本明細書の実施形態は、第１の無線ネットワークノードがビームインジケーションを含めることを可能にし、それにより、ネットワークは、無線デバイスがどのビームを選択するか、又は無線デバイス１０がどのビームを選択すべきでないかを無線デバイスに指示することができる。これにより、無線デバイスは、ネットワーク（ＮＷ）からの要求条件及び／又は無線デバイスからの要求条件の両方を満たすことが可能なビームを選択する。その結果、ＨＯ期間中及びＨＯ後に、ＮＷ及び無線デバイスの両方がより良好な性能を経験することができる。したがって、本明細書の実施形態は、無線通信ネットワークの性能を改善する。
【図面の簡単な説明】
【００５１】
以下の添付図面に関連して実施形態についてより詳細に説明する。
【００５２】
【図１】図１は、所与のサブフレーム及びリソースブロックについてのＣＳＩ−ＲＳリソース割り当てを示す。
【図２】図２は、ＣＳＩ−ＲＳ送信のチャネル推定を示す。
【図３】図３は、複数の協調セルにわたるＣＳＩ−ＲＳリソース割り当てを示す。
【図４】図４は、ＬＴＥにおけるビーム選択のためのＣＳＩ−ＲＳサポートを示す。
【図５】図５は、ＬＴＥにおけるビームフォーミングされたＣＳＩ−ＲＳを示す。
【図６】図６は、ＣＳＩ−ＲＳ‐Ｃｏｎｆｉｇ情報エレメントを示す。
【図７】図７は、ＬＴＥにおけるハンドオーバプロセスを示す。
【図８】図８は、各ＳＳブロックが、ＲＡＣＨ設定とＳＳブロックを送信する最も強いＤＬビームとの間のマッピングを含むことを示す。この例では、各ＰＲＡＣＨ機会／リソースは２つのＳＳブロックビームと関連付けられる。
【図９ａ】図９ａは、本明細書の実施形態による無線通信ネットワークを示す概略図を示す。
【図９ｂ】図９ｂは、本明細書の実施形態による無線デバイスによって実行される方法を示す概略フローチャートである。
【図９ｃ】図９ｃは、本明細書の実施形態による第１の無線ネットワークノードによって実行される方法を示す概略フローチャートである。
【図１０】図１０は、本明細書の実施形態による概略的なフローチャート及びシグナリングスキームの組み合わせである。
【図１１】図１１は、本明細書のいくつかの実施形態による概略的なフローチャートである。
【図１２】図１２は、本明細書のいくつかの実施形態による概略的なフローチャートである。
【図１３】図１３は、本明細書のいくつかの実施形態による概略的なフローチャートである。
【図１４】図１４は、本明細書のいくつかの実施形態による概略的なフローチャートである。
【図１５】図１５は、本明細書のいくつかの実施形態による概略的なフローチャートである。
【図１６】図１６は、本明細書の実施形態による無線デバイスを示す概略図を示す。
【図１７】図１７は、本明細書の実施形態による第１の無線ネットワークノードを示すブロック図である。
【発明を実施するための形態】
【００５３】
本明細書の実施形態は、概して無線通信ネットワークに関連している。図９ａは、無線通信ネットワーク１を示す概略図である。無線通信ネットワーク１は、１つ以上のＲＡＮと１つ以上のＣＮとを含む。無線通信ネットワーク１は、New Radio（ＮＲ）、Ｗｉ−Ｆｉ、ＬＴＥ、ＬＴＥ−Ａｄｖａｎｃｅｄ、第５世代（５Ｇ）、広帯域符号分割多元接続（ＷＣＤＭＡ）、Global System for Mobile communications/enhanced Data rate for GSM Evolution（ＧＳＭ／ＥＤＧＥ）、Worldwide Interoperability for Microwave Access（ＷｉＭａｘ）、又はUltra Mobile Broadband（ＵＭＢ）といった、１つ又はいくつかの異なる技術を使用してもよく、いくつかの可能な実装について言及している。本明細書の実施形態は、５Ｇコンテキストにおいて特に興味深い最近の技術動向に関連している。しかし、実施形態はまた、例えばＷＣＤＭＡ及びＬＴＥのような既存の無線通信システムの更なる開発にも適用可能である。
【００５４】
無線通信ネットワーク１において、無線デバイス（例えば、移動局、非アクセスポイント（非ＡＰ）ＳＴＡ、ＳＴＡ、ユーザ装置及び／又は無線端末といった、無線デバイス１０）は、１つ以上のアクセスネットワーク（ＡＮ）（例えば、ＲＡＮ）を介して１つ以上のコアネットワーク（ＣＮ）に対して通信する。「無線デバイス」は、任意の端末、無線通信端末、ユーザ装置、マシン型通信（ＭＴＣ）デバイス、デバイス・ツー・デバイス（Ｄ２Ｄ）端末、又は、例えば、スマートフォン、ラップトップ、携帯電話、センサ、中継器、モバイルタブレット、若しくは更にはネットワークノードによるサービスが提供されるエリア内の、当該ネットワークノードとの無線通信を使用して通信可能な小型基地局等のノード、を意味する非限定的な用語であることが当業者によって理解されるべきである。
【００５５】
無線通信ネットワーク１は、単にネットワークノードとも称される第１の無線ネットワークノード１２を含み、当該第１の無線ネットワークノードは、ＮＲ、ＬＴＥ、Ｗｉ−Ｆｉ、ＷｉＭＡＸ又は同様のもの等の第１の無線アクセス技術（ＲＡＴ）の地理的エリア（第１のサービスエリア１１又は第１のセル）にわたって無線カバレッジを提供する。第１の無線ネットワークノード１２は、例えば第１の無線アクセス技術及び使用される用語に依存して、送受信ポイント、無線ネットワークノード（モビリティ管理エンティティ（ＭＭＥ）、サービングゲートウェイ、無線ローカルエリアネットワーク（ＷＬＡＮ）アクセスポイント又はアクセスポイントステーション（ＡＰ ＳＴＡ）等）、アクセスノード、アクセスコントローラ、基地局（例えば、ノードＢ、進化型ノードＢ（ｅＮＢ、ｅノードＢ）、ｇノードＢ、基地局装置、無線リモートユニット、アクセスポイント基地局、基地局ルータ、無線基地局の送信配置、スタンドアロン型アクセスポイント、又は任意の他のネットワークユニット）、又は第１の無線ネットワークノード１２によってサービスが提供されるサービスエリア内の無線デバイスと通信可能なノードでありうる。第１の無線ネットワークノード１２は、第１のサービスエリアがソースビームと称されうるサービングネットワークノードと称されることがあり、サービングネットワークノードは、無線デバイス１０へのＤＬ送信及び無線デバイス１０からのＵＬ送信の形式で、無線デバイス１０へのサービスの提供及び当該無線デバイスとの通信を行う。
【００５６】
第２の無線ネットワークノード１３は更に、ＮＲ、ＬＴＥ、Ｗｉ−Ｆｉ、ＷｉＭＡＸ等の第２の無線アクセス技術（ＲＡＴ）の第２のサービスエリア１４又は第２のセルにわたって無線カバレッジを提供しうる。第１のＲＡＴ及び第２のＲＡＴは、同一又は異なるＲＡＴでありうる。第２の無線ネットワークノード１３は、例えば第２の無線アクセス技術及び使用される用語に依存して、送受信ポイント（例えば、無線ローカルエリアネットワーク（ＷＬＡＮ）アクセスポイント又はアクセスポイントステーション（ＡＰ ＳＴＡ）のような無線ネットワークノード）、アクセスノード、アクセスコントローラ、基地局（例えば、ノードＢ、進化型ノードＢ（ｅＮＢ、ｅノードＢ）、ｇノードＢ、基地局装置、無線リモートユニット、アクセスポイント基地局、基地局ルータ、無線基地局の送信配置、スタンドアロン型アクセスポイント、又は任意の他のネットワークユニット）、又は第２の無線ネットワークノード１３によってサービスが提供されるサービスエリア内の無線デバイスと通信可能なノードでありうる。第２の無線ネットワークノード１３は、隣接ネットワークノードと称されてもよく、第２のサービスエリア１４は、隣接ビーム又はターゲットビームと称されてもよい。
【００５７】
サービスエリアは、無線カバレッジのエリアを定義するために、セル、ビームグループ、モビリティ測定ビーム、又は同様のものとして示されうることに留意されたい。無線ネットワークノードは、それぞれのサービスエリアを介してＲＳをビームで送信する。このため、第１及び第２の無線ネットワークノードは、それぞれの無線ネットワークノードのサービスエリアをカバーするために必要と考えられる数のＴｘビームを使用して、ＣＳＩ−ＲＳ又はビーム参照信号（ＢＲＳ）を、時間的に、多数の異なる方向に繰り返し送信しうる。このため、第１の無線ネットワークノード１２は、無線通信ネットワーク１内の第１のサービスエリア１１に対して、第１の参照信号（例えば、第１のＣＳＩ−ＲＳ）を使用して、第１のサービスエリアにわたる無線カバレッジを提供する。第２の無線ネットワークノード１３は、無線通信ネットワークにおいて、各々が参照信号（例えば、１つ以上の第２のＣＳＩ−ＲＳ）を有する複数のビームを使用して、第２のサービスエリア１４にわたる無線カバレッジを提供する。
【００５８】
本明細書の実施形態によれば、第１の無線ネットワークノードと第２の無線ネットワークノードとの間の無線デバイス１０のハンドオーバプロセスの期間中に、第１の無線ネットワークノード１２は、第２の無線ネットワークノード１３によってサービスが行われるセル又はサービスエリア１４へのハンドオーバを示すハンドオーバコマンドを無線デバイス１０へ送信する。ハンドオーバコマンドは、無線デバイス１０によってセルのいずれのビームを選択するかを制御する又は少なくとも指示するビームインジケーションを更に含み、ビームインジケーションは、例えば、ビーム品質の閾値、及び／又は、許容可能又は許容不可能なビームを示すリストでありうる。このため、本明細書の実施形態は、第１の無線ネットワークノード１２がＨＯコマンドに何らかの情報を含めることを可能にし、それにより、ネットワークは、無線デバイスがいずれのビームを選択するか、又は無線デバイス１０がどのビームを選択すべきでないかを無線デバイス１０に指示しうる。
【００５９】
１つのケースでは、第１の無線ネットワークノード１２は、ターゲットセル内のビームのいずれにおいても、非競合ランダムアクセス（ＣＦＲＡ）を設定せず、即ち、個別ＲＡＣＨリソースを使用せず、この場合、第１の無線ネットワークノード１２は、無線デバイス１０が閾値よりも劣る無線リンク品質を有するビームを選択しないことを確実にし、更に、無線デバイス１０がネットワークの観点からいくつかの問題を有するビーム（例えば、既にトラフィックが負荷されているビーム）を選択しないことを確実にしうる。したがって、ＨＯコマンドにおいて、第１の無線ネットワークノード１２は、例えば、無線品質閾値（「Min_threshold」）とも称されるビーム品質閾値、及び／又は、無線デバイス１０により選択されることをネットワークが望まないビームのリスト（ビームのブラックリストとも称される）を含みうる。
【００６０】
このアルゴリズムの疑似コードは、以下のようになりうる。
【００６１】
（ＳＳブロックの参照信号受信電力（ＲＳＲＰ）＞「Min_threshold」であり、かつ、ＮＷによってブラックリストされていない場合）：
アクセスに適したＳＳブロックに関連するビームを考慮する；
それ以外の場合：
アクセスのためにこのＳＳブロックに関連するビームを考慮しない；
【００６２】
別のケースでは、第１の無線ネットワークノード１２は、ターゲットセル内のビームの１つ以上のビームにＣＦＲＡを設定する（即ち、ＲＡＣＨリソースを専用にする）。また、第１の無線ネットワークノード１２は、１つ以上のビーム上にプリアンブルを予約し、無線デバイス１０がランダムアクセスの信頼性を保証するためにそれらのビーム上でＣＦＲＡを行うことを期待するとともに、無線デバイス１０がそれらのビームを選択しない場合には、無線デバイスが選択するビームは、そのような選択を動機付けるために、第１の無線ネットワークノード１２によって指定されたビームよりも十分に良好でなければならない。さもなければ、それはネットワークリソースの浪費であり、ランダムアクセスの信頼性に影響を及ぼしうる。
【００６３】
したがって、ＨＯコマンドにおいて、第１の無線ネットワークノード１２は、非競合（ＣＦ：contention free）ビームの無線リンク品質と比較して、少なくともオフセット又はオフセット値を含みうる。当該オフセット値は、CF_OFFSETと表記されてもよい。
【００６４】
このアルゴリズムの疑似コードは、以下のとおりである。
【００６５】
（ＣＦＲＡ設定を有しないＳＳブロックのＲＳＲＰが、ＣＦＲＡ構成を有するＳＳブロックのＲＳＲＰよりも「ＣＦオフセット」だけ良好である場合）：
アクセスに適したそのＳＳブロックに関連するビームを考慮する；
それ以外の場合：
アクセスのためにそのＳＳブロックに関連するビームを考慮しない；
アクセスに適したビームが無い場合：
ＣＦＲＡが設定されているビームを選択する。
【００６６】
ここで、図９ｂに示すフローチャートを参照して、本明細書の実施形態による通信ネットワーク１における無線デバイス１０の通信を処理するための、無線デバイス１０によって実行される方法の動作について説明する。ビームインジケーションの例が、破線のボックスでマークされている。第１の無線ネットワークノード１２は、無線デバイス１０にサービスを提供し、無線通信ネットワーク１は、第２の無線ネットワークノードを更に含む。
【００６７】
アクション９０１．無線デバイス１０は、第２の無線ネットワークノード１３によってサービスが行われるセルへのハンドオーバを示すハンドオーバコマンドを第１の無線ネットワークノード１２から受信する。ハンドオーバコマンドは、当該セルのいずれのビームを無線デバイス１０が選択するかを制御するビームインジケーションを含む。ビームインジケーションは、使用可能なビームのサブセット又は好適なビームのリストを示しうる。追加的又は代替的には、ビームインジケーションは、オフセット値を示しうる。当該オフセット値は閾値であり、当該閾値は、競合ベースのランダムアクセス手順が設定されたビームが、選択されるために、非競合のランダムアクセス手順が設定されたビームより当該閾値だけ性能が上回る必要がある、閾値である。ビームインジケーションは、アクセスに適さないビームのリスト、及び／又は、無線デバイスによって選択されるべきビームのビーム品質又はビーム強度についての閾値を示す閾値を含みうる。ビーム品質は、無線リンク品質と称されてもよく、参照信号受信品質（ＲＳＲＱ）又は信号対干渉雑音比（ＳＩＮＲ）で測定されてもよい。ビーム強度は、無線リンク強度と称されてもよく、参照信号受信電力（ＲＳＲＰ）で測定されてもよい。
【００６８】
アクション９０２．無線デバイス１０は、ＣＳＩ−ＲＳ、ＳＳブロック又は種々のビームの類似のもののような、参照信号のビーム品質又はビーム強度を測定してもよい。
【００６９】
アクション９０３．無線デバイス１０は、少なくともビームインジケーションに基づいて、セルのビームを選択する。例えば、無線デバイス１０は、アクセスするためのビームを選択しうるとともに、選択されたビームに関連付けられたプリアンブル及び／又は時間及び周波数等の、ＲＡＣＨリソースを送信しうる。当該関連付けは、以前に受信されたＲＡＣＨ設定に従ってもよい。ビームインジケーションは、少なくとも、非競合リソースとビーム品質閾値とのインジケーションを含みうる。無線デバイス１０は、例えば、少なくとも、非競合リソースに関連付けられたビームのビーム品質を測定することによって、少なくともビームインジケーションに基づいてセルのビームを選択し、測定されたビーム品質がビーム品質閾値よりも良好である場合に、非競合リソースに関連付けられたビームを優先しうる。
【００７０】
ここで、図９ｃに示すフローチャートを参照して、本明細書の実施形態による通信ネットワーク１における無線デバイス１０の通信を処理するための、第１の無線ネットワークノード１２によって実行される方法の動作について説明する。ビームインジケーションの例が、破線のボックスでマークされている。第１の無線ネットワークノード１２は、無線デバイス１０にサービスを提供し、無線通信ネットワーク１は、第２の無線ネットワークノード１３を更に含む。
【００７１】
アクション９１１．第１の無線ネットワークノード１２は、例えば、好適なビームを示す、及び／又はビーム品質若しくはビーム強度の閾値を示すビームインジケーションを決定又は設定しうる。ビームインジケーションは、少なくとも、非競合リソースとビーム品質閾値とのインジケーションを含みうる。
【００７２】
アクション９１２．第１の無線ネットワークノード１２は、第２の無線ネットワークノード１３によってサービスが行われるセルへのハンドオーバを示すハンドオーバコマンドを無線デバイス１０へ送信し、当該ハンドオーバコマンドは、当該セルのいずれのビームを無線デバイス１０が選択するかを制御するビームインジケーションを含む。ビームインジケーションは、使用可能なビームのサブセット又は好適なビームのリストを示しうる。代替的又は追加的には、ビームインジケーションは、オフセット値を示しうる。当該オフセット値は閾値であり、当該閾値は、競合ベースのランダムアクセス手順が設定されたビームが、選択されるために、非競合のランダムアクセス手順が設定されたビームより当該閾値だけ性能が上回る必要がある、閾値である。代替的又は追加的には、ビームインジケーションは、アクセスに適さないビームのリスト、及び／又は、無線デバイスによって選択されるべきビームのビーム品質又はビーム強度についての閾値を示す閾値を含みうる。
【００７３】
図１０は、本明細書の実施形態によるハンドオーバを処理するためのシグナリングスキーム及びフローチャートの組み合わせである。
【００７４】
アクション１０１０．第１の無線ネットワークノード１２は、ＣＳＩ ＲＳ等の、好適なビームを示すビームインジケーションを決定又は設定することで、強度又は品質閾値等の、満たされるべき条件を選択及び／又は設定しうる（以下の図１１〜図１５を参照）。これは、図９ｃのアクション９１１の例である。
【００７５】
アクション１０２０．ハンドオーバプロセスの期間中に、第１の無線ネットワークノード１２は、第２の無線ネットワークノードによってサービスが行われるセルへのハンドオーバを示すハンドオーバコマンドを無線デバイス１０へ送信する。ハンドオーバコマンドは、当該セルのいずれのビーム又は複数のビームを無線デバイス１０が選択するかを制御又は通知するビームインジケーションを含む。このため、無線デバイス１０は、好適なビーム、又はいくつかの実施形態では好適ではないビームを示すビームインジケーションを受信する。ビームインジケーションは、強度若しくは品質の閾値、望ましくないビームのリスト、又は好適なビームのリストでありうる。ビームインジケーションは、アクセスに適していないビームのリスト、又は無線デバイスによって選択されるべきビームについての無線リンク品質閾値でありうる。これは、図９ｃのアクション９１２の例である。
【００７６】
アクション１０３０．その後、無線デバイス１０は、受信されたビームインジケーションを考慮してビームを選択しうる。これは、図９ｂのアクション９０３の例である。
【００７７】
アクション１０４０．その後、無線デバイス１０は、選択されたビームへのハンドオーバ又はアクセスを開始しうる。
【００７８】
一例として、第１の無線ネットワークノード１２がビームインジケーションを決定しうる、上記のアクション９１１に関して、第１の無線ネットワークノード１２は、ターゲットセル内の許可されていないビームのリスト（ブラックリスト）を設定してもよい。即ち、いくつかのビームは、ハンドオーバの観点から好ましくなく（例えば、現在輻輳している）、第１の無線ネットワークノードは、無線デバイス１０がそれらのビームのうちの１つを選択しないことを確実にすることを望む。
【００７９】
許可されないビームのリストは、例えば、ハンドオーバコマンドに含まれてもよいし、ハンドオーバの前に事前に設定されてもよいし、ソース又はターゲットセルのシステム情報に含まれてもよいし、又は他の手段を使用して無線デバイスに提供されてもよい。
【００８０】
この方法の疑似コードを以下に示し、図１１に例示する。
【００８１】
１１１）無線デバイス１０は、ネットワークからターゲットセル及びブラックリストされたセルのリストを受信する。
【００８２】
１１２）無線デバイス１０は、ターゲットセル内の適切なビームを（例えば、本明細書では無線リンク品質とも称されるビーム品質に基づいて）識別及び選択する。
【００８３】
１１３）無線デバイス１０は、選択されたビームがブラックリストにあるか否かを判定する。
【００８４】
１１４）選択したビームがブラックリストに含まれていない場合
‐無線デバイス１０は、アクセスに適したこのＳＳブロックに関連付けられたビームを考慮する；
【００８５】
それ以外の場合
１１５）無線デバイス１０は、同じターゲットセルからの更なるビームが使用可能であるかどうかを判定する。
１１６）同じターゲットセルからの更なるビームが使用可能である場合
‐無線デバイス１０は、同じターゲットセルから他のビームを選択してもよく、ステップ１１３を使用して、当該ビームをブラックリストと再び比較する。
１１７）更なるビームが使用可能でない場合、無線デバイス１０は、ハンドオーバが失敗したとみなし、ハンドオーバ失敗を宣言しうる。
【００８６】
他の実施形態では、全ての検出されたビームがブラックリストに記載されている場合、即ち、ブラックリストをオーバーランしている場合、無線デバイス１０は、ブラックリストに記載されたセルを使用してアクセスすることが許可される。
【００８７】
第１の無線ネットワークノード１２は、ターゲットセル（即ち、第２のサービスエリア）内のビームについての最小閾値等の閾値を設定しうる。
【００８８】
この場合の実施形態では、第１の無線ネットワークノード１２は、無線デバイス１０が弱すぎるビームを選択しないことを確実にする必要があり、例えば、ビーム品質についての最小許容品質（閾値）を示すビームインジケーションを提供する。
【００８９】
許可されるビームについての最小許容品質は、例えば、ハンドオーバ（ＨＯ）コマンドに含まれてもよく、ハンドオーバの前に事前設定されてもよく、ソース若しくはターゲットセルのシステム情報に含まれてもよく、又は他の手段を使用して無線デバイス１０に提供されてもよい。
【００９０】
このアルゴリズムの疑似コードは、以下のとおりである。
【００９１】
１２１）無線デバイス１０は、ターゲットセルと、許可されたビームについての最小品質レベル（閾値）とを受信する。
【００９２】
１２２）無線デバイス１０は、ターゲットセル内の適切なビームを（例えば、本明細書では無線リンク品質とも称されるビーム品質に基づいて）識別及び選択する。
【００９３】
１２３）無線デバイス１０は、選択されたビームが閾値を下回るかどうかを判定する。
【００９４】
１２４）（ＳＳブロックのＲＳＲＰ ＞ 「Min_threshold」）である場合
アクセスに適したＳＳブロックに関連するビームを考慮する；
【００９５】
それ以外の場合
１２５）無線デバイス１０は、同じターゲットセルからの更なるビームが使用可能であるかどうかを判定する。
１２６）同じターゲットセルからの更なるビームが使用可能である場合
‐無線デバイス１０は、ビーム品質に基づいて、同じターゲットセルからの他のビームを選択しうる。
１２７）更なるビームが使用可能でない場合、無線デバイス１０は、ハンドオーバが失敗したとみなし、ハンドオーバ失敗を宣言しうる。
【００９６】
この手順が図１２に示されている。
【００９７】
第１の無線ネットワークノード１２は、ターゲットセル内のビームの１つ以上のビームにＣＦＲＡを設定してもよい。
【００９８】
この場合、第１の無線ネットワークノード１２は、１つ以上のビーム上にプリアンブルを予約し、無線デバイス１０がランダムアクセスの信頼性を保証するためにそれらのビーム上でＣＦＲＡを行うことを期待するので、無線デバイス１０がそれらのビームを選択しない場合には、無線デバイス１０が選択するビームは、無線デバイス選択を動機付けるために、第１の無線ネットワークノードによって指定されたビームよりも十分に良好でなければならず、それ以外の場合には、それはネットワークリソースの浪費であり、ランダムアクセスの信頼性に影響を及ぼす。
【００９９】
したがって、ＨＯコマンドにおいて、それは、CF_OFFSETと表記される非競合（ＣＦ）ビームの無線リンク品質と比較して少なくともオフセットを含みうる。
【０１００】
このアルゴリズムの疑似コードは、図１３に示されるとおりである。
【０１０１】
１３１）無線デバイス１０は、ターゲットセルと、ターゲットセル内のいくつかのビームについてのＣＦＲＡと、非競合ビームに関連するオフセット値（CF_OFFSET）とを受信する。
【０１０２】
１３２）無線デバイス１０は、ターゲットセル内の適切なビームを（例えば、ビーム品質に基づいて）識別及び選択する。
【０１０３】
１３３）無線デバイス１０は、選択されたビームがＣＦＲＡを有するか否かを判定する。
【０１０４】
１３４）選択されたビームがＣＦＲＡを有する場合、ターゲットセルにアクセスするためにこのビーム固有のＲＡリソースを使用する；
【０１０５】
１３５）このビームの品質は、ＣＦＲＡを有する最良のビームよりもCF_OFFSETだけ良好であるか？即ち、（ＣＦＲＡ設定の無いＳＳブロックのＲＳＲＰが、ＣＦＲＡ設定を有するＳＳブロックのＲＳＲＰよりも「ＣＦオフセット」だけ良好である場合）
１３４）無線デバイス１０は、アクセスに適したそのＳＳブロックに関連付けられたビームを考慮する；
【０１０６】
それ以外の場合
無線デバイス１０は、アクセスに適したそのＳＳブロックに関連付けられたビームを考慮しない；
１３６）無線デバイス１０は、同じターゲットセルからの他のビームが使用可能であるかどうかを判定する。
【０１０７】
アクセスに適したビームが無い場合
無線デバイス１０は、設定されたＣＦＲＡを有するビームを選択する。
【０１０８】
この手順が図１３に示されている。
【０１０９】
第１の無線ネットワークノード１２は、ターゲットセル内の１つ以上のビームにＣＦＲＡを設定してもよく、更に、ターゲットセル内のビームをブラックリストしてもよい。
【０１１０】
この場合、無線デバイス１０は、ＣＦＲＡビームのＲＳＲＰよりも良好にオフセットされたＲＳＲＰを有し、かつ、ターゲットセル内のブラックリストには無いビームでない限り、ＣＦＲＡビームを選択しなければならない。それ以外の場合、無線デバイス１０は、ＣＦＲＡビームを選択しなければならない。
【０１１１】
１４１）無線デバイス１０は、ターゲットセルと、当該ターゲットセル内のいくつかのビームについてのＣＦＲＡと、非競合ビーム関連オフセット（CF_OFFSET）と、許可されていないビームのリスト（ブラックリスト）とを受信する。
【０１１２】
１４２）無線デバイス１０は、ターゲットセル内の適切なビームを（例えば、ビーム品質に基づいて）識別及び選択する。
【０１１３】
１４３）無線デバイス１０は、選択されたビームがブラックリストにあるかどうかを判定する。
【０１１４】
１４４）ビームがブラックリストに無い場合、無線デバイスは、選択されたビームがＣＦＲＡを有するかどうかを判定する。
【０１１５】
１４５）ＣＦＲＡが無い場合、選択されたビームの品質が、ＣＦＲＡを有する最良のビームよりもCF_OFFSETだけ良好であるかどうかが判定される。
【０１１６】
即ち、（ＣＦＲＡ構成のないＳＳブロックのＲＳＲＰがＣＦＲＡ構成のあるＳＳブロックのＲＳＲＰよりも「ＣＦオフセット」だけ良好であり、ＳＳブロックがターゲットセルのブラックリストにない場合）
１４６）無線デバイス１０は、アクセスに適したそのＳＳブロックに関連付けられたビームを考慮する（即ち、ターゲットセルにアクセスするためにこのビーム固有のＲＡリソースを使用する）；
【０１１７】
それ以外の場合
無線デバイス１０は、アクセスに適したそのＳＳブロックに関連付けられたビームを考慮しない。
【０１１８】
１４７）無線デバイス１０は、ビーム品質に基づいて、同じターゲットセルからの他のビームを選択しうる。
【０１１９】
アクセスに適したビームが無い場合
無線デバイス１０は、設定されたＣＦＲＡを有するビームを選択しうる。
【０１２０】
１４８）更なるビームが使用可能でない場合、無線デバイス１０は、ハンドオーバが失敗したとみなし、ハンドオーバ失敗を宣言しうる。
【０１２１】
このプロセスが図１４に示されている。
【０１２２】
第１の無線ネットワークノード１２は、ビームのホワイトリストを設定してもよい。
【０１２３】
ホワイトリストされたビームは、第１の無線ネットワークノード１２が無線デバイスに選択することを提案する１つ以上のビームである。しかし、ホワイトリスト内のビームが劣悪すぎる無線リンク品質を有しないことを確実にするために、第１の無線ネットワークノード１２は、WHITELIST_OFFSETを設定してもよく、これは、どの程度悪いホワイトリストビームが最良のビームに対して比較されうるかを示す。ホワイトリスト内のビームが最良のビームよりも悪くオフセットされない限り、無線デバイスは、それらを選択でき、それ以外の場合、無線デバイス１０はそれらを選択しない。ＣＦＲＡビームは、ホワイトリストビームとして見ることができる。
【０１２４】
１５１）無線デバイス１０は、ターゲットセルと、ホワイトリストされたビームのリストと、WHITELIST_OFFSETとを受信する。
【０１２５】
１５２）無線デバイス１０は、ホワイトリストから（例えば、ビーム品質に基づいて）適切なビームを識別及び選択する。
【０１２６】
１５３）無線デバイス１０は、選択されたビームがホワイトリストオフセット内にあるかどうかを判定する。
【０１２７】
１５４）ｙｅｓの場合、ターゲットセルにアクセスするために、このビーム固有のＲＡリソースを使用する。
【０１２８】
１５５）ｎｏの場合、同じターゲットセルから他のホワイトリストビームが使用可能であるかどうかを判定する。
【０１２９】
１５６）使用可能である場合、無線デバイス１０は、同じターゲットセルから（例えば、ビーム品質に基づいて）他の適切なホワイトリストされたビームを選択しうる；
【０１３０】
１５７）使用可能でない場合、無線デバイス１０は、他のビームが使用可能であるかどうかを判定しうる。
【０１３１】
１５８）他のビームが使用可能である場合、無線デバイス１０は、（例えば、ビーム品質に基づいて）ビームを選択しうる（とともに１５９へ進みうる）。
【０１３２】
１５９）更なるビームが使用可能でない場合、無線デバイス１０は、ハンドオーバが失敗したとみなし、ハンドオーバ失敗を宣言しうる。
【０１３３】
擬似コードは以下のとおりでありうる。
（ホワイトリスト内のＳＳブロックのＲＳＲＰが最良のＳＳブロックよりWHITELIST_OFFSETだけ悪くない）場合
第１の無線ネットワークノード１２は、アクセスに適したホワイトリスト内のそのＳＳブロックに関連付けられたビームを考慮する；
アクセスに適したホワイトリスト内のビームが無い場合
第１の無線ネットワークノード１２は、ホワイトリスト内に無いビームを選択する。
【０１３４】
このプロセスが図１５に示されている。
【０１３５】
種々の実施形態を組み合わせて更なる実施形態を作成することも可能である。例えば、図１３は、ネットワークが両方の許可されたビームを制御し、かつ、適切なセルに最小の適切なレベルを設定することを可能にするために、図１１及び図１２の実施形態がどのように組み合わされうるかを示している。その他の実施形態についての同様の組み合わせも可能である。
【０１３６】
前述の実施形態は、例えば、ネットワークによって提供されるＲＡＣＨ関連付け等の、ＳＳブロック内のＲＳに基づいて、無線デバイス側でビーム選択を関連付ける。それに加えて、ＣＳＩ−ＲＳリソースがＲＲＭ測定用又はハンドオーバ最適化用に設定された場合には、等価な実施形態の設定が定義されうる。その場合、時間、周波数、シーケンス等の各ＣＳＩ−ＲＳリソースは、ＤＬにおけるビームに関連付けられうる。無線デバイス１０は更に、いずれのＣＳＩ−ＲＳがいずれのリソースに関連付けられているかが分かるようにグループの概念が設定されてもよい。このため、ＳＳブロックについて説明したように、ＨＯコマンドがＲＡＣＨからＣＳＩ−ＲＳへの関連付けを含みうると想定すると、ビームのブラックリスト又はビームのホワイトリストの概念も本明細書において適用できる。
【０１３７】
あるいは、ＳＳブロックを介してターゲットエリアにアクセスするように無線デバイス１０を設定するのではなく、ＲＡＣＨへのＣＳＩ−ＲＳの関連付けを使用し、かつ、そのアクセスを許可されたエリア（例えば、ネットワークが、過負荷されていないことを認識しているビームに関連付けられたエリア）内にのみＣＳＩ−ＲＳを設定することによって、ネットワークの実装が実現されてもよい。したがって、ネットワークは、セル全体をカバーする全ての可能性のあるＣＳＩ−ＲＳの中からＣＳＩ−ＲＳのサブセットを単に設定し、そのサブセットのためにＲＡＣＨリソースを提供することができる。
【０１３８】
一般的なシナリオでは、「無線ネットワークノード」という用語は、「送受信ポイント」に置き換えられうることに留意されたい。重要な点は、典型的には送信されたＲＳ又は異なる同期信号及びＢＲＳに基づいて、送受信ポイント（ＴＲＰ）間の区別を行うことが可能なければならないことである。複数のＴＲＰが同じ無線ネットワークノードに論理的に接続されている場合があるが、地理的に離れているか又は異なる伝搬方向を指している場合、ＴＲＰは、異なる無線ネットワークノードと同じ問題の影響を受ける。以下のセクションでは、「無線ネットワークノード」及び「ＴＲＰ」という用語は、互いに置き換え可能であると考えられうる。
【０１３９】
更に、無線通信ネットワークは、多数のネットワーク／ＲＡＮスライスに仮想的にネットワークスライシングされ、各ネットワーク／ＲＡＮスライスは、１つ以上のタイプの無線デバイス及び／又は１つ以上のタイプのサービスをサポートし、即ち、各ネットワークスライスは、異なる機能セットをサポートする。ネットワークスライシングにより、ネットワーク／ＲＡＮスライスが様々なサービス及びユースケースに使用される可能性が生じ、これらのサービス及びユースケースでは、様々なネットワークスライスでサポートされる機能に違いが生じうる。各ネットワーク／ＲＡＮスライスは、それぞれのネットワークスライスにサービス／機能を提供する１つ以上のネットワークノード又はネットワークノードのエレメントを含みうる。各ネットワーク／ＲＡＮスライスは、ＲＡＮノード及び／又はコアネットワークノード等のネットワークノードを含みうる。
【０１４０】
図１６は、無線通信ネットワーク１における無線デバイス１０の通信を処理する本明細書の実施形態による、無線デバイス１０を示すブロック図である。無線通信ネットワーク１は、第２の無線ネットワークノード１３を含むように構成される。第１の無線ネットワークノード１２は、無線デバイス１０にサービスを提供するように構成され、無線通信ネットワーク１は、第２の無線ネットワークノード１３を更に含む。
【０１４１】
無線デバイス１０は、処理回路１６０１（例えば、本明細書の方法を実行するように構成された１つ以上のプロセッサ）を備えうる。
【０１４２】
無線デバイス１０は、受信モジュール１６０２（例えば、受信機又は送受信機）を備えうる。無線デバイス１０、処理回路１６０１、及び／又は受信モジュール１６０２は、第２の無線ネットワークノード１３によってサービスが行われるセルへのハンドオーバを示すハンドオーバコマンドを第１の無線ネットワークノード１２から受信するように構成され、当該ハンドオーバコマンドは、当該セルのいずれのビームを無線デバイスが選択するかを制御するビームインジケーションを含む。例えば、当該ハンドオーバコマンドは、当該セルのいずれのビームを無線デバイスが選択するかを制御する又は示すビームインジケーションを更に含む。当該インジケーションは、アクセスに適していないビームのリスト、又は無線リンク品質閾値でありうる。
【０１４３】
無線デバイス１０は、選択モジュール１６０３を備えうる。無線デバイス１０、処理回路１６０１、及び／又は選択モジュール１６０３は、少なくともビームインジケーションに基づいてセルのビームを選択するように構成される。無線デバイス１０、処理回路１６０１、及び／又は選択モジュール１６０３は、ビームの強度又は品質を測定し、これも考慮に入れるように構成されうる。ビームインジケーションは、少なくとも、非競合リソースとビーム品質閾値とのインジケーションを含みうる。無線デバイス１０、処理回路１６０１、及び／又は選択モジュール１６０３は、例えば、非競合リソースに関連付けられた少なくともビームのビーム品質を測定することによって、少なくともビームインジケーションに基づいてセルのビームを選択し、測定されたビーム品質がビーム品質閾値よりも良好である場合に、非競合リソースに関連付けられたビームを優先するように構成されうる。ビームインジケーションは、使用可能なビームのサブセット又は好適なビームのリストを示しうる。ビームインジケーションは、オフセット値を示しうる。当該オフセット値は閾値であり、当該閾値は、競合ベースのランダムアクセス手順が設定されたビームが、選択されるために、非競合のランダムアクセス手順が設定されたビームより当該閾値だけ性能が上回る必要がある、閾値である。ビームインジケーションは、アクセスに適さないビームのリスト、及び／又は、無線デバイスによって選択されるべきビームのビーム品質又はビーム強度についての閾値を示す閾値を含みうる。
【０１４４】
無線デバイス１０は、メモリ１６０４を備えうる。メモリは、強度品質、インジケーション、ビーム、ＣＳＩ−ＲＳ、閾値、実行されているときに本明細書に開示の方法を実行するためのアプリケーション等に関するデータを記憶するために使用される、１つ以上のユニットを備える。
【０１４５】
無線デバイス１０について本明細書に記載された実施形態による方法は、例えば、少なくとも１つのプロセッサ上で実行されると、無線デバイス１０によって実行されるように少なくとも１つのプロセッサに本明細書に記載のアクションを実行させる命令（即ち、ソフトウェアコード部分）を含むコンピュータプログラム製品１６０５又はコンピュータプログラムによって、それぞれ実装される。コンピュータプログラム製品１６０５は、コンピュータで読み取り可能な記憶媒体１６０６（例えば、ディスク、ユニバーサルシリアルバス（ＵＳＢ）スティック等）に格納されてもよい。コンピュータプログラム製品を格納した、コンピュータで読み取り可能な記憶媒体１６０６は、少なくとも１つのプロセッサで実行されると当該少なくとも１つのプロセッサに、無線デバイス１０によって実行されるように本明細書に記載のアクションを実行させる命令を含んでもよい。いくつかの実施形態では、コンピュータで読み取り可能な記憶媒体は、非一時的なコンピュータ読み取り可能媒体でありうる。本明細書では、第２の無線ネットワークノードによってサービスが行われるセルへのハンドオーバを示すハンドオーバコマンドを第１の無線ネットワークノードから受信し、ここで、当該ハンドオーバコマンドは、当該セルのいずれのビームを無線デバイスが選択するかを制御するビームインジケーションを含み、少なくとも当該ビームインジケーションに基づいて当該セルのビームを選択するように構成された処理回路を備える無線デバイスが開示される。
【０１４６】
図１７は、無線通信ネットワークにおける無線デバイス１０の通信を処理するための、本明細書の実施形態による、ｇＮＢ、ＭＭＥ等の第１の無線ネットワークノード１２を示すブロック図である。第１の無線ネットワークノード１２は、無線デバイス１０にサービスを提供するように構成され、無線通信ネットワーク１は、第２の無線ネットワークノードを備えるように構成され、例えば、第２の無線ネットワークノード１３を更に備える。
【０１４７】
第１の無線ネットワークノード１２は、本明細書の方法を実行するように構成された処理回路１７０１（例えば、１つ又は複数のプロセッサ）を備えうる。
【０１４８】
第１の無線ネットワークノード１２は、設定モジュール１７０２を備えうる。第１の無線ネットワークノード１２、処理回路１７０１、及び／又は設定モジュール１７０２は、ビームインジケーションを決定又は設定するように構成されうる。
【０１４９】
第１の無線ネットワークノード１２は、送信モジュール１７０３（例えば、送信機又は送受信機）を備えうる。第１の無線ネットワークノード１２、処理回路１７０１、及び／又は送信モジュール１７０３は、第２の無線ネットワークノード１３によってサービスが行われるセルへのハンドオーバを示すハンドオーバコマンドを無線デバイス１０に送信するように構成され、当該ハンドオーバコマンドは、当該セルのいずれのビームを無線デバイスによって選択するかを制御するビームインジケーションを含む。第１の無線ネットワークノード１２、処理回路１７０１、及び／又は送信モジュール１７０３は、無線デバイス１０へビームインジケーションを送信するように構成されうる。ハンドオーバコマンドは、無線デバイスによってセルのいずれのビームを選択するかを制御するビームインジケーションを含む。ビームインジケーションは、使用可能なビームのサブセット又は好適なビームのリストを示しうる。ビームインジケーションは、オフセット値を示しうる。当該オフセット値は閾値であり、当該閾値は、競合ベースのランダムアクセス手順が設定されたビームが、選択されるために、非競合のランダムアクセス手順が設定されたビームより当該閾値だけ性能が上回る必要がある、閾値である。ビームインジケーションは、アクセスに適さないビームのリスト、及び／又は、無線デバイスによって選択されるべきビームのビーム品質又はビーム強度についての閾値を示す閾値を含みうる。ビームインジケーションは、少なくとも、非競合リソースとビーム品質閾値とのインジケーションを含みうる。第１の無線ネットワークノード１２は、メモリ１７０４を更に備えうる。メモリは、ビームインジケーション、強度品質、閾値、ビーム、セル、実行されているときに本明細書に開示の方法を実行するためのアプリケーション等に関するデータを記憶するために使用される、１つ以上のユニットを備える。
【０１５０】
第１の無線ネットワークノード１２について本明細書に記載された実施形態による方法は、例えば、少なくとも１つのプロセッサで実行されると当該少なくとも１つのプロセッサに、第１の無線ネットワークノード１２によって実行されるように本明細書に記載のアクションを実行させる命令（即ち、ソフトウェアコード部分）を含むコンピュータプログラム１７０５又はコンピュータプログラム製品によって、それぞれ実装される。コンピュータプログラム製品１７０５は、コンピュータで読み取り可能な記憶媒体１７０６（例えば、ディスク、ＵＳＢスティック等）に格納されてもよい。コンピュータプログラム製品を格納した、コンピュータで読み取り可能な記憶媒体１７０６は、少なくとも１つのプロセッサで実行されると当該少なくとも１つのプロセッサに、第１の無線ネットワークノード１２によって実行されるように本明細書に記載のアクションを実行させる命令を含んでもよい。いくつかの実施形態では、コンピュータで読み取り可能な記憶媒体は、非一時的なコンピュータ読み取り可能媒体でありうる。
【０１５１】
本明細書では、第２の無線ネットワークノードによってサービスが行われるセルへのハンドオーバを示すハンドオーバコマンドを無線デバイスへ送信するように構成された処理回路を備える第１の無線ネットワークノードが開示され、当該ハンドオーバコマンドは、当該セルのいずれのビームを無線デバイスが選択するかを制御するビームインジケーションを含む。
【０１５２】
本明細書では、無線通信ネットワークにおける無線デバイスの通信を処理するための、無線デバイスによって実行される方法が開示される。第１の無線ネットワークノードは、無線デバイスにサービスを行い、無線通信ネットワークは、第２の無線ネットワークノードを更に含む。無線デバイスは、第２の無線ネットワークノードによってサービスが行われるセルへのハンドオーバを示すハンドオーバコマンドを第１の無線ネットワークノードから受信し、当該ハンドオーバコマンドは更に、当該セルのいずれのビームを無線デバイスが選択するかを制御するビームインジケーションを含む。例えば、ハンドオーバコマンドは、無線デバイスがＨＯ期間中にいずれのビームを選択するかを制御するための何らかの情報を含みうる。そのような情報は、アクセスに適していないビームのリスト、又は無線デバイスによって選択されるべきビームについての無線リンク品質閾値でありうる。例えば、選択のためのビームの測定されたリンク品質は、その無線リンク品質閾値よりも良好であるべきである。また、無線デバイスは、少なくともビームインジケーションに基づいてセルのビームを選択する。
【０１５３】
更に、本明細書では、無線通信ネットワークにおける無線デバイスの通信を処理するための、ネットワークノードとも称される第１の無線ネットワークノードによって実行される方法が開示される。第１の無線ネットワークノードは、無線デバイスにサービスを行い、無線通信ネットワークは、第２の無線ネットワークノードを更に含む。第１の無線ネットワークノードは、第２の無線ネットワークノードによってサービスが行われるセルへのハンドオーバを示すハンドオーバコマンドを無線デバイスへ送信する。ハンドオーバコマンドは更に、無線デバイスによってセルのいずれのビームを選択するかを制御するビームインジケーションを含む。
【０１５４】
更に、本明細書の方法を実行するように構成された第１の無線ネットワークノード及び無線デバイスも提供される。
【０１５５】
いくつかの実施形態では、より一般的な用語である「無線ネットワークノード」が使用され、無線デバイス及び／又は他のネットワークノードと通信する任意のタイプの無線ネットワークノード又は任意のネットワークノードに対応しうる。ネットワークノードの例は、ＮｏｄｅＢ、マスターｅＮＢ、セカンダリｅＮＢ、マスターセルグループ（ＭＣＧ）又はセカンダリセルグループ（ＳＣＧ）に属するネットワークノード、基地局（ＢＳ）、ＭＳＲ ＢＳ等のマルチスタンダード無線（ＭＳＲ）無線ノード、ｅＮｏｄｅＢ、ネットワークコントローラ、無線ネットワークコントローラ（ＲＮＣ）、基地局コントローラ（ＢＳＣ）、中継器、中継器を制御するドナーノード、ベーストランシーバ基地局（ＢＴＳ）、アクセスポイント（ＡＰ）、送信ポイント、送信ノード、リモート無線ユニット（ＲＲＵ）、リモートラジオヘッド（ＲＲＨ）、分散アンテナシステム（ＤＡＳ）内のノード、コアネットワークノード（例えば、モビリティスイッチングセンタ（ＭＳＣ）、モバイル管理エンティティ（ＭＭＥ）等）、Operation and Maintenance（Ｏ＆Ｍ）、Operation Support System（ＯＳＳ）、Self-Organizing Network（ＳＯＮ）、ポジショニングノード（例えば、Evolved Serving Mobile Location Center（Ｅ−ＳＭＬＣ））、Minimizing Drive Test（ＭＤＴ）ノード等である。
【０１５６】
いくつかの実施形態では、無線デバイス又はユーザ装置（ＵＥ）という非限定的な用語が使用されており、当該用語は、セルラ又は移動通信システム内のネットワークノード及び／又は他のＵＥと通信する任意のタイプの無線デバイスを示しうる。ＵＥの例は、目標デバイス、デバイス・ツー・デバイス（Ｄ２Ｄ）無線デバイス、近接対応ＵＥ（ＰｒｏＳｅ ＵＥとも称される、マシンタイプＵＥ又はマシン・ツー・マシン（Ｍ２Ｍ）通信が可能なＵＥ、ＰＤＡ、ＰＡＤ、タブレット、モバイル端末、スマートフォン、laptop embedded equipped（ＬＥＥ）、laptop mounted equipment（ＬＭＥ）、ＵＳＢドングル等である。
【０１５７】
実施形態は５Ｇについて説明されている。しかし、実施形態は、ＵＥが信号（例えばデータ）を受信及び／又は送信する任意のＲＡＴ又はマルチＲＡＴシステムに適用可能であり、例えば、ＬＴＥ、ＬＴＥ ＦＤＤ／ＴＤＤ、ＷＣＤＭＡ／ＨＳＰＡ、ＧＳＭ／ＧＥＲＡＮ、Ｗｉ Ｆｉ、ＷＬＡＮ、ＣＤＭＡ２０００等に適用可能である。
【０１５８】
アンテナノード：本明細書で使用されるように、アンテナノードは、特定のサービスエリア又は方向をカバーする１つ以上のビームを生成可能なユニットである。アンテナノードは、基地局であっても基地局の一部であってもよい。
【０１５９】
通信設計に精通している者には容易に理解されるように、その機能手段又はモジュールは、デジタルロジック及び／又は１つ以上のマイクロコントローラ、マイクロプロセッサ、又は他のデジタルハードウェアを使用して実装されうる。いくつかの実施形態では、単一の特定用途向け集積回路（ＡＳＩＣ）、又はそれらの間の適切なハードウェア及び／又はソフトウェアインタフェースを備えた２つ以上の別個のデバイスといった、様々な機能のいくつか又は全てが一緒に実装されうる。機能のいくつかは、例えば、無線デバイス又はネットワークノードの他の機能コンポーネントと共有されるプロセッサで実装されうる。
【０１６０】
あるいは、議論された処理手段の機能エレメントのいくつかは、専用ハードウェアの使用を通じて提供されてもよく、その他のものは、適切なソフトウェア又はファームウェアに関連してソフトウェアを実行するハードウェアを用いて提供される。このため、本明細書で使用される「プロセッサ」又は「コントローラ」という用語は、ソフトウェアを実行可能なハードウェアのみを指すものではなく、限定することなく、デジタル信号プロセッサ（ＤＳＰ）ハードウェア、ソフトウェアを格納するための読み取り専用メモリ（ＲＯＭ）、ソフトウェア及び／又はプログラム又はアプリケーションデータを格納するためのランダムアクセスメモリ、及び不揮発性メモリを黙示的に含みうる。他のハードウェア、従来のもの及び／又はカスタムのものも含まれる場合がある。通信デバイスの設計者であれば、これらの設計選択に固有のコスト、性能、及びメンテナンスのトレードオフを十分に理解する。
【０１６１】
前述の説明及び添付の図面が、本明細書で教示される方法及び装置の非限定的な例を表すことが理解される。したがって、本明細書で教示される装置及び技術は、前述の説明及び添付の図面によって限定されない。その代わりに、本明細書の実施形態は、以下の請求項及びそれらの法的な均等物によってのみ限定される。
【図１】
0006876150.tif 000002
【図２】
0006876150.tif 000003
【図３】
0006876150.tif 000004
【図４】
0006876150.tif 000005
【図５】
0006876150.tif 000006
【図６】
0006876150.tif 000007
【図７】
0006876150.tif 000008
【図８】
0006876150.tif 000009
【図９ａ】
0006876150.tif 000010
【図９ｂ】
0006876150.tif 000011
【図９ｃ】
0006876150.tif 000012
【図１０】
0006876150.tif 000013
【図１１】
0006876150.tif 000014
【図１２】
0006876150.tif 000015
【図１３】
0006876150.tif 000016
【図１４】
0006876150.tif 000017
【図１５】
0006876150.tif 000018
【図１６】
0006876150.tif 000019
【図１７】
0006876150.tif 000020